【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】  ネットワークを介して他の情報処理装置と接続されるとともに、所定の機能を実行する１以上の機能ブロックを有する情報処理装置において、
前記機能ブロックを制御するイベントに対して仮IDを発生する発生手段と、
認証されているイベントのイベントIDを抽出する抽出手段と、
前記発生手段が発生した仮IDと前記抽出手段が抽出したイベントIDとを比較する比較手段と、
前記比較手段の比較結果に対応して前記仮IDをイベントIDとして認証する認証手段と
を備えることを特徴とする情報処理装置。
【請求項２】  前記イベントIDは、前記認証手段による認証において前記イベントと一意に対応する
ことを特徴とする請求項１に記載の情報処理装置。
【請求項３】  前記ネットワークは、IEEE１３９４シリアルデータバスを用いて構成される
ことを特徴とする請求項１に記載の情報処理装置。
【請求項４】  前記イベントIDを、前記機能ブロックを予約した情報処理装置に固有な値と組み合わせ、前記ネットワークに固有な値とする組み合わせ手段を
さらに備えることを特徴とする請求項１に記載の情報処理装置。
【請求項５】  ネットワークを介して他の情報処理装置と接続されるとともに、所定の機能を実行する１以上の機能ブロックを有する情報処理装置の情報処理方法において、
前記機能ブロックを制御するイベントに対して仮IDを発生する発生ステップと、
認証されているイベントのイベントIDを抽出する抽出ステップと、
前記発生ステップの処理により発生された仮IDと前記抽出ステップの処理により抽出されたイベントIDとを比較する比較ステップと、
前記比較ステップの処理での比較結果に対応して前記仮IDをイベントIDとして認証する認証ステップと
を含むことを特徴とする情報処理方法。
【請求項６】  ネットワークを介して他の情報処理装置と接続されるとともに、所定の機能を実行する１以上の機能ブロックを有する情報処理装置を制御するプログラムにおいて、
前記機能ブロックを制御するイベントに対して仮IDを発生する発生ステップと、
認証されているイベントのイベントIDを抽出する抽出ステップと、
前記発生ステップの処理により発生された仮IDと前記抽出ステップの処理により抽出されたイベントIDとを比較する比較ステップと、
前記比較ステップの処理での比較結果に対応して前記仮IDをイベントIDとして認証する認証ステップと
を含むことを特徴とするコンピュータが実行可能なプログラムが記録されている記録媒体。
【請求項７】  ネットワークを介して他の情報処理装置と接続されるとともに、所定の機能を実行する１以上の機能ブロックを有する情報処理装置において、
前記機能ブロックの予約に関する前記予約情報を記憶する記憶手段と、
前記他の情報処理装置から要求があった場合、前記記憶手段に記憶されている前記予約情報を読み出して、前記他の情報処理装置に供給する供給手段と、
前記記憶手段に記憶させる前記機能ブロックの予約情報に、前記機能ブロックを予約した情報処理装置としての自分自身に固有な値と、自分自身が前記機能ブロックの予約に対して設定する固有な値とを含む識別情報を付加する付加手段と
を備えることを特徴とする情報処理装置。
【請求項８】  前記機能ブロックを予約した情報処理装置に固有な値は、グローバルユニークIDであり、前記情報処理装置内で設定された予約に固有な値は、レコードIDである
ことを特徴とする請求項７に記載の情報処理装置。
【請求項９】  前記機能ブロックの予約に関する予約情報を入力する入力手段と、
前記記憶手段に記憶されている前記予約情報に対応する前記識別情報を検索する検索手段と、
前記検索手段の検索結果に対応して、前記識別情報のうち、自分自身が設定する固有な値として、前記記憶手段に記憶されていない値を、前記入力手段により入力された新たな前記予約情報に対して設定する設定手段と
をさらに備えることを特徴とする請求項７に記載の情報処理装置。
【請求項１０】  前記他の情報処理装置の前記機能ブロックを予約する場合、前記他の情報処理装置の記憶手段の予約情報を読み取る読み取り手段と、
前記読み取り手段の読み取り結果に対応して、前記他の情報処理装置の前記記憶手段に、前記他の情報処理装置の前記機能ブロックの予約情報を、前記機能ブロックを予約した情報処理装置としての自分自身に固有な値と、自分自身が前記機能ブロックの予約に対して設定する固有な値とを含む識別情報を付加して書き込ませる書き込み手段と
をさらに備えることを特徴とする請求項７に記載の情報処理装置。
【請求項１１】  ネットワークを介して他の情報処理装置と接続されるとともに、所定の機能を実行する１以上の機能ブロックを有する情報処理装置の情報処理方法において、
前記機能ブロックの予約に関する前記予約情報の記憶を制御する記憶制御ステップと、
前記他の情報処理装置から要求があった場合、前記記憶制御ステップの制御により記憶された前記予約情報を読み出して、前記他の情報処理装置に供給する供給ステップと、
前記記憶制御ステップの処理により記憶させる前記機能ブロックの予約情報に、前記機能ブロックを予約した情報処理装置としての自分自身に固有な値と、自分自身が前記機能ブロックの予約に対して設定する固有な値とを含む識別情報を付加する付加ステップと
を含むことを特徴とする情報処理方法。
【請求項１２】  ネットワークを介して他の情報処理装置と接続されるとともに、所定の機能を実行する１以上の機能ブロックを有する情報処理装置の情報処理のプログラムにおいて、
前記機能ブロックの予約に関する前記予約情報の記憶を制御する記憶制御ステップと、
前記他の情報処理装置から要求があった場合、前記記憶制御ステップの制御により記憶された前記予約情報を読み出して、前記他の情報処理装置に供給する供給ステップと、
前記記憶制御ステップの処理により記憶させる前記機能ブロックの予約情報に、前記機能ブロックを予約した情報処理装置としての自分自身に固有な値と、自分自身が前記機能ブロックの予約に対して設定する固有な値とを含む識別情報を付加する付加ステップと
を含むことを特徴とするコンピュータが実行可能なプログラムが記録されている記録媒体。
【請求項１３】  所定の機能を実行する１以上の機能ブロックを有する他の情報処理装置とネットワークを介して接続される情報処理装置において、
前記他の情報処理装置の前記機能ブロックを予約する場合、前記他の情報処理装置に記憶されている、前記機能ブロックの予約に関する予約情報を読み取る読み取り手段と、
前記読み取り手段の読み取り結果に対応して、前記他の情報処理装置に、前記他の情報処理装置の前記機能ブロックの予約情報を、前記機能ブロックを予約した情報処理装置としての自分自身に固有な値と、自分自身が前記機能ブロックの予約に対して設定する固有な値とを含む識別情報を付加して書き込ませる書き込み手段と
を備えることを特徴とする情報処理装置。
【請求項１４】  前記機能ブロックを予約した情報処理装置に固有な値は、グローバルユニークIDであり、前記機能ブロックの予約に対して設定する固有な値は、レコードIDである
ことを特徴とする請求項１３に記載の情報処理装置。
【請求項１５】  所定の機能を実行する１以上の機能ブロックを有する他の情報処理装置とネットワークを介して接続される情報処理装置の情報処理方法において、
前記他の情報処理装置の前記機能ブロックを予約する場合、前記他の情報処理装置に記憶されている、前記機能ブロックの予約に関する予約情報を読み取る読み取りステップと、
前記読み取りステップの処理での読み取り結果に対応して、前記他の情報処理装置に、前記他の情報処理装置の前記機能ブロックの予約情報を、前記機能ブロックを予約した情報処理装置としての自分自身に固有な値と、自分自身が前記機能ブロックの予約に対して設定する固有な値とを含む識別情報を付加して書き込ませる書き込みステップと
を含むことを特徴とする情報処理方法。
【請求項１６】  所定の機能を実行する１以上の機能ブロックを有する他の情報処理装置とネットワークを介して接続される情報処理装置の情報処理用のプログラムにおいて、
前記他の情報処理装置の前記機能ブロックを予約する場合、前記他の情報処理装置に記憶されている、前記機能ブロックの予約に関する予約情報を読み取る読み取りステップと、
前記読み取りステップの処理での読み取り結果に対応して、前記他の情報処理装置に、前記他の情報処理装置の前記機能ブロックの予約情報を、前記機能ブロックを予約した情報処理装置としての自分自身に固有な値と、自分自身が前記機能ブロックの予約に対して設定する固有な値とを含む識別情報を付加して書き込ませる書き込みステップと
を含むことを特徴とするコンピュータが実行可能なプログラムが記録されている記録媒体。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
【課題を解決するための手段】
請求項１に記載の情報処理装置は、ネットワークを介して他の情報処理装置と接続されるとともに、所定の機能を実行する１以上の機能ブロックを有する情報処理装置において、機能ブロックを制御するイベントに対して仮IDを発生する発生手段と、認証されているイベントのイベントIDを抽出する抽出手段と、発生手段が発生した仮IDと抽出手段が抽出したイベントIDとを比較する比較手段と、比較手段の比較結果に対応して仮IDをイベントIDとして認証する認証手段とを備えることを特徴とする。
【手続補正９】
【補正対象書類名】明細書
【補正対象項目名】００２１
【補正方法】変更
【補正の内容】
【００２１】
前記イベントIDを、機能ブロックを予約した情報処理装置に固有な値と組み合わせ、ネットワークに固有な値とする組み合わせ手段をさらに設けることができる。
【手続補正１０】
【補正対象書類名】明細書
【補正対象項目名】００２２
【補正方法】変更
【補正の内容】
【００２２】
請求項５に記載の情報処理方法は、ネットワークを介して他の情報処理装置と接続されるとともに、所定の機能を実行する１以上の機能ブロックを有する情報処理装置の情報処理方法において、機能ブロックを制御するイベントに対して仮IDを発生する発生ステップと、認証されているイベントのイベントIDを抽出する抽出ステップと、発生ステップの処理により発生された仮IDと抽出ステップの処理により抽出されたイベントIDとを比較する比較ステップと、比較ステップの処理での比較結果に対応して仮IDをイベントIDとして認証する認証ステップとを含むことを特徴とする。
【手続補正１１】
【補正対象書類名】明細書
【補正対象項目名】００２３
【補正方法】変更
【補正の内容】
【００２３】
請求項６に記載の記録媒体のプログラムは、ネットワークを介して他の情報処理装置と接続されるとともに、所定の機能を実行する１以上の機能ブロックを有する情報処理装置を制御するプログラムにおいて、機能ブロックを制御するイベントに対して仮IDを発生する発生ステップと、認証されているイベントのイベントIDを抽出する抽出ステップと、発生ステップの処理により発生された仮IDと抽出ステップの処理により抽出されたイベントIDとを比較する比較ステップと、比較ステップの処理での比較結果に対応して仮IDをイベントIDとして認証する認証ステップとを含むことを特徴とする。
【手続補正１２】
【補正対象書類名】明細書
【補正対象項目名】００２４
【補正方法】変更
【補正の内容】
【００２４】
請求項７に記載の情報処理装置は、ネットワークを介して他の情報処理装置と接続されるとともに、所定の機能を実行する１以上の機能ブロックを有する情報処理装置において、機能ブロックの予約に関する予約情報を記憶する記憶手段と、他の情報処理装置から要求があった場合、記憶手段に記憶されている予約情報を読み出して、他の情報処理装置に供給する供給手段と、記憶手段に記憶させる機能ブロックの予約情報に、機能ブロックを予約した情報処理装置としての自分自身に固有な値と、自分自身が機能ブロックの予約に対して設定する固有な値とを含む識別情報を付加する付加手段とを備えることを特徴とする。
【手続補正１３】
【補正対象書類名】明細書
【補正対象項目名】００２５
【補正方法】変更
【補正の内容】
【００２５】
前記機能ブロックを予約した情報処理装置に固有な値は、グローバルユニークIDとし、情報処理装置内で設定された予約に固有な値は、レコードIDとすることができる。
【手続補正１４】
【補正対象書類名】明細書
【補正対象項目名】００２６
【補正方法】変更
【補正の内容】
【００２６】
前記機能ブロックの予約に関する予約情報を入力する入力手段と、記憶手段に記憶されている予約情報に対応する識別情報を検索する検索手段と、検索手段の検索結果に対応して、識別情報のうち、自分自身が設定する固有な値として、記憶手段に記憶されていない値を、入力手段により入力された新たな予約情報に対して設定する設定手段とをさらに設けることができる。
【手続補正１５】
【補正対象書類名】明細書
【補正対象項目名】００２７
【補正方法】変更
【補正の内容】
【００２７】
前記他の情報処理装置の機能ブロックを予約する場合、他の情報処理装置の記憶手段の予約情報を読み取る読み取り手段と、読み取り手段の読み取り結果に対応して、他の情報処理装置の記憶手段に、他の情報処理装置の機能ブロックの予約情報を、機能ブロックを予約した情報処理装置としての自分自身に固有な値と、自分自身が機能ブロックの予約に対して設定する固有な値とを含む識別情報を付加して書き込ませる書き込み手段とをさらに設けることができる。
【手続補正１６】
【補正対象書類名】明細書
【補正対象項目名】００２８
【補正方法】変更
【補正の内容】
【００２８】
請求項１１に記載の情報処理方法は、ネットワークを介して他の情報処理装置と接続されるとともに、所定の機能を実行する１以上の機能ブロックを有する情報処理装置の情報処理方法において、機能ブロックの予約に関する予約情報の記憶を制御する記憶制御ステップと、他の情報処理装置から要求があった場合、記憶制御ステップの制御により記憶された予約情報を読み出して、他の情報処理装置に供給する供給ステップと、記憶制御ステップの処理により記憶させる機能ブロックの予約情報に、機能ブロックを予約した情報処理装置としての自分自身に固有な値と、自分自身が機能ブロックの予約に対して設定する固有な値とを含む識別情報を付加する付加ステップとを含むことを特徴とする。
【手続補正１７】
【補正対象書類名】明細書
【補正対象項目名】００２９
【補正方法】変更
【補正の内容】
【００２９】
請求項１２に記載の記録媒体のプログラムは、ネットワークを介して他の情報処理装置と接続されるとともに、所定の機能を実行する１以上の機能ブロックを有する情報処理装置の情報処理のプログラムにおいて、機能ブロックの予約に関する予約情報の記憶を制御する記憶制御ステップと、他の情報処理装置から要求があった場合、記憶制御ステップの制御により記憶された予約情報を読み出して、他の情報所定装置に供給する供給ステップと、記憶制御ステップの処理により記憶させる機能ブロックの予約情報に、機能ブロックを予約した情報処理装置としての自分自身に固有な値と、自分自身が機能ブロックの予約に対して設定する固有な値とを含む識別情報を付加する付加ステップとを含むことを特徴とする。
【手続補正１８】
【補正対象書類名】明細書
【補正対象項目名】００３０
【補正方法】変更
【補正の内容】
【００３０】
請求項１３に記載の情報処理装置は、所定の機能を実行する１以上の機能ブロックを有する他の情報処理装置とネットワークを介して接続される情報処理装置において、他の情報処理装置の機能ブロックを予約する場合、他の情報処理装置に記憶されている、機能ブロックの予約に関する予約情報を読み取る読み取り手段と、読み取り手段の読み取り結果に対応して、他の情報処理装置に、他の情報処理装置の機能ブロックの予約情報を、機能ブロックを予約した情報処理装置としての自分自身に固有な値と、自分自身が機能ブロックの予約に対して設定する固有な値とを含む識別情報を付加して書き込ませる書き込み手段とを備えることを特徴とする。
【手続補正１９】
【補正対象書類名】明細書
【補正対象項目名】００３１
【補正方法】変更
【補正の内容】
【００３１】
前記機能ブロックを予約した情報処理装置に固有な値は、グローバルユニークIDとし、機能ブロックの予約に対して設定する固有な値は、レコードIDとすることができる。
【手続補正２０】
【補正対象書類名】明細書
【補正対象項目名】００３２
【補正方法】変更
【補正の内容】
【００３２】
請求項１５に記載の情報処理方法は、所定の機能を実行する１以上の機能ブロックを有する他の情報処理装置とネットワークを介して接続される情報処理装置の情報処理方法において、他の情報処理装置の機能ブロックを予約する場合、他の情報処理装置に記憶されている、機能ブロックの予約に関する予約情報を読み取る読み取りステップと、読み取りステップの処理での読み取り結果に対応して、他の情報処理装置に、他の情報処理装置の機能ブロックの予約情報を、機能ブロックを予約した情報処理装置としての自分自身に固有な値と、自分自身が機能ブロックの予約に対して設定する固有な値とを含む識別情報を付加して書き込ませる書き込みステップとを含むことを特徴とする。
【手続補正２１】
【補正対象書類名】明細書
【補正対象項目名】００３３
【補正方法】変更
【補正の内容】
【００３３】
請求項１６に記載の記録媒体のプログラムは、所定の機能を実行する１以上の機能ブロックを有する他の情報処理装置とネットワークを介して接続される情報処理装置の情報処理用のプログラムにおいて、他の情報処理装置の機能ブロックを予約する場合、他の情報処理装置に記憶されている、機能ブロックの予約に関する予約情報を読み取る読み取りステップと、読み取りステップの処理での読み取り結果に対応して、他の情報処理装置に、他の情報処理装置の機能ブロックの予約情報を、機能ブロックを予約した情報処理装置としての自分自身に固有な値と、自分自身が機能ブロックの予約に対して設定する固有な値とを含む識別情報を付加して書き込ませる書き込みステップとを含むことを特徴とする。
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】変更
【補正の内容】
【００３５】
請求項１に記載の情報処理装置、請求項５に記載の情報処理方法、および請求項６に記載の記録媒体においては、機能ブロックを制御するイベントに対して仮IDが発生され、その仮IDと、抽出されたイベントIDとが比較され、その比較結果に対応して仮IDがイベントIDとして認証される。
【手続補正２４】
【補正対象書類名】明細書
【補正対象項目名】００３６
【補正方法】変更
【補正の内容】
【００３６】
請求項７に記載の情報処理装置、請求項１１に記載の情報処理方法、および請求項１２に記載の記録媒体においては、他の情報処理装置から要求があった場合、記憶されている予約情報が他の情報処理装置に供給される。そして、機能ブロックの予約情報に、機能ブロックを予約した情報処理装置としての自分自身に固有な値と、自分自身が機能ブロックの予約に対して設定する固有な値とを含む識別情報が付加される。
【手続補正２５】
【補正対象書類名】明細書
【補正対象項目名】００３７
【補正方法】変更
【補正の内容】
【００３７】
請求項１３に記載の情報処理装置、請求項１５に記載の情報処理方法、および請求項１６に記載の記録媒体においては、他の情報処理装置の機能ブロックを予約する場合、他の情報処理装置に記憶されている、機能ブロックの予約に関する予約情報が読み取られ、その読み取り結果に対応して、他の情報処理装置に、他の情報処理装置の機能ブロックの予約情報が、機能ブロックを予約した情報処理装置としての自分自身に固有な値と、自分自身が機能ブロックの予約に対して設定する固有な値とを含む識別情報を付加して書き込まれる。
【手続補正２６】
【補正対象書類名】明細書
【補正対象項目名】００４０
【補正方法】変更
【補正の内容】
【００４０】
なお、バス２に接続されているIRD１およびDVCR３のような電子機器は、ユニットと呼ばれており、ユニット間においては、AV/C Command Transaction SetのAV/C Digital Interface Command Set General Specification（以下、AV/C Generalと記述する）で規定されているディスクリプタ(Descriptor)を用いて、各ユニットに記憶されている情報を相互に読み書きすることが可能である。AV/C Generalの詳細については、http://www.1394ta.org/Technology/Specifications/を参照のこと。また、ユニットが有する機能はサブユニットと呼ばれている。
【手続補正２７】
【補正対象書類名】明細書
【補正対象項目名】０１５０
【補正方法】削除
【補正の内容】
【手続補正２８】
【補正対象書類名】明細書
【補正対象項目名】０１５１
【補正方法】変更
【補正の内容】
【０１５１】
【発明の効果】
請求項１に記載の情報処理装置、請求項５に記載の情報処理方法、および請求項６に記載の記録媒体によれば、機能ブロックを制御するイベントに対して仮IDが発生され、その仮IDと、抽出されたイベントIDとが比較され、その比較結果に対応して仮IDがイベントIDとして認証されるようにしたので、ネットワークにおけるダブルブッキングを防止することができる。
【手続補正２９】
【補正対象書類名】明細書
【補正対象項目名】０１５２
【補正方法】変更
【補正の内容】
【０１５２】
請求項７に記載の情報処理装置、請求項１１に記載の情報処理方法、および請求項１２に記載の記録媒体によれば、他の情報処理装置から要求があった場合、記憶されている予約情報が他の情報処理装置に供給され、機能ブロックの予約情報に、機能ブロックを予約した情報処理装置としての自分自身に固有な値と、自分自身が機能ブロックの予約に対して設定する固有な値とを含む識別情報が付加されるようにしたので、ダブルブッキングの発生を防止し、他の情報処理装置に対して、自分自身の機能ブロックを確実に予約させることができる。
【手続補正３０】
【補正対象書類名】明細書
【補正対象項目名】０１５３
【補正方法】変更
【補正の内容】
【０１５３】
請求項１３に記載の情報処理装置、請求項１５に記載の情報処理方法、および請求項１６に記載の記録媒体によれば、他の情報処理装置の機能ブロックを予約する場合、他の情報処理装置に記憶されている、機能ブロックの予約に関する予約情報の読み取り結果に対応して、他の情報処理装置に、他の情報処理装置の機能ブロックの予約情報が、機能ブロックを予約した情報処理装置としての自分自身に固有な値と、自分自身が機能ブロックの予約に対して設定する固有な値とを含む識別情報を付加して書き込まれるようにしたので、ダブルブッキングの発生を防止し、他の情報処理装置の機能ブロックを確実に予約することができる。